(57)【要約】【課題】  仏壇風にも墓参用祭壇封にも使用できる携帯仏具セットの提供を目的とする。【解決手段】携帯可能なケースと、当該ケース内に収納する仏具を備え、仏具は線香立又は線香皿と、ローソク立又は及び花立を含み、ローソク立は防風筒を着脱自在に有し、前記線香立又は線香皿、ローソク立又は／及び花立はケースを利用して配置又は立設するものであることを特徴とする。【選択図】  図１
0003177779.tif 000002
【実用新案登録請求の範囲】
【請求項１】
携帯可能なケースと、当該ケース内に収納する仏具を備え、
仏具は線香立又は線香皿と、ローソク立又は及び花立を含み、
ローソク立は防風筒を着脱自在に有し、
前記線香立又は線香皿、ローソク立又は／及び花立はケースを利用して配置又は立設するものであることを特徴とする携帯仏具セット。  
【請求項２】
前記花立は、当該花立が倒れないように保持する花立保持具を有し、
前記花立保持具はケースに着脱自在になっていることを特徴とする請求項１記載の携帯仏具セット。
【請求項３】
前記仏具はさらにおりんを含むことを特徴とする請求項１又は２記載の携帯仏具セット。
【請求項４】
ケースは前面に観音扉を有するとともに、
位牌、遺影等の物故者等を偲ぶための物を載置するための載置室と、
仏具を収納するための引出を有し、引出の底部に線香立又は線香皿を配置し、ローソク立を立設するものであることを特徴とする請求項１〜３のいずれかに記載の携帯仏具セット。
【考案の詳細な説明】
【技術分野】
【０００１】
本考案は室内において簡易的な仏壇になり、屋外において墓地にお参りする際には携帯可能なお墓参りセットとして使用できる携帯仏具セットに関する。
【背景技術】
【０００２】
震災によりお墓が津波等で流されたり、仮設住宅で仏壇のない生活をしなければならない場合がある。
お墓が津波等で流された場合にあっては、お墓が建てられるようになるまで墓地でお参りするのに簡易的な線香立又は線香皿、ローソク立及び花立等のお墓参りセットがあると便利である。
また、仮説住宅等、仏壇のない生活を送らざるをえない場合には簡易的な仏壇になるものがあればよいと思われる。
また、近年は亡くなったペットを偲ぶための仏壇等へのニーズも増している。
【０００３】
特許文献１は箱と仏具とを組み合せた携帯用仏具ケースを開示し、特許文献２は墓参用品携帯セットを開示する。
また、特許文献３〜５にも墓参用セットを開示する。
しかし、これらは主に仏具を収納して持ち運ぶことができるようにしたものであり、室内における簡易的な仏壇風にしたり、お墓参りにおける祭壇風に配置するには不充分であった。
【先行技術文献】
【特許文献】
【０００４】
【特許文献１】実用新案登録第３０５４６１８号公報
【特許文献２】実開平３−３３５７７号公報
【特許文献３】実開昭６０−１１２９８５号公報
【特許文献４】実開昭６０−９５０８５号公報
【特許文献５】実開昭５３−１５２９００号公報
【考案の開示】
【考案が解決しようとする課題】
【０００５】
本考案は、仏壇風にも墓参用祭壇封にも使用できる携帯仏具セットの提供を目的とする。
【課題を解決するための手段】
【０００６】
本考案に係る携帯仏具セットは、携帯可能なケースと、当該ケース内に収納する仏具を備え、仏具は線香立又は線香皿と、ローソク立又は及び花立を含み、ローソク立は防風筒を着脱自在に有し、前記線香立又は線香皿、ローソク立又は／及び花立はケースを利用して配置又は立設するものであることを特徴とする。 
【０００７】
ここで仏具に線香立又は線香皿と、ローソク立又は／及び花立を含みと表現したのは、それ以外の仏具をケースに収納してもよい趣旨であり、おりんや数珠等を収納できるようにしてもよい。
線香皿は香炉皿ともいい、線香を寝かせて焚く地方もある。
また、ローソク立に着脱自在に取り付け可能な防風筒を設けたのは防風筒を取り外してケースに収納できるようにすることで、ケースがコンパクトになるからである。
したがって、線香立もケースに着脱自在にするのが好ましい。
さらには、防風筒と花立とのうち、一方を他方の内側に挿入できるようにすると、収納時に必要なスペースが少なくなりケースがコンパクトになる。
【０００８】
本考案で線香立、ローソク立及び花立がケースを利用して立設できるようになっている。
線香立及びローソク立は周囲が汚れないようにケースの底部に立設できるようになっているのが好ましく、花立は花を立てやすいようにケースに着脱自在に取り付け可能になっている花立保持具を用いて、ケースの外側に立設するのが望ましい。
【０００９】
本考案でケースの構造は、容器状のケース本体と、このケース本体の上部を開閉する蓋からなるシンプルな構造であってよい。
この場合に蓋を開くと外側に向けてやや斜めに立設するようにケース本体に連結することで蓋の内側に遺影等を載置することで仏壇風になる。
また、さらに仏壇風にするにはケースは前面に観音扉を有するとともに、位牌、遺影等の物故者等を偲ぶための物を載置するための載置室と、仏具を収納するための引出を有し、引出の底部に線香立及びローソク立を立設するものであってよい。
この場合、引出を引き出し、ケースの前に配置し引出の底部に、線香立及びローソク立を取り付け、花立保持具を引出の両側の側壁に取り付けることで花立を引出の左右両側に配置することができる。
また、ケースの前面に設けた観音扉を利用して、この観音扉の内側面に花立保持具を着脱可能にすることで開いた観音扉の前に花立を配置してもよい。
【考案の効果】
【００１０】
本考案に係る携帯仏具セットは、蓋又は観音扉を開いてケース本体の底部又は引出の底部に線香立と必要に応じてローソク立を立設し、それらの両側に花立を配置することで仏壇風になり、おりんもケースや引出を利用して取り付けることができる。
また、墓地に携帯し、墓参の祭壇としても使用できる。
さらには、物故者を偲ぶためのみならず亡くなったペットを偲ぶためにも使用できる。
【図面の簡単な説明】
【００１１】
【図１】本考案に係る携帯仏具セットの第１の実施例を示す（ａ）はケース本体の蓋を開いた状態、（ｂ）はケース本体を利用して線香立、ローソク立の防風筒及び花立を立設した状態を示す。
【図２】本考案に係る携帯仏具セットの第２の実施例を示す。（ａ）は観音扉を開いた状態、（ｂ）は引出を引き出して線香立及びローソク立の防風筒を立設した状態を示す。
【図３】（ａ）、（ｂ）は仏具をケース内に収納し、蓋、観音扉を閉じた状態を示す。
【図４】（ａ）はケース本体又は引出に仏具を収納した状態、（ｂ）は収納してあった仏具を取り出した状態を示す。
【図５】ケース又は引出に線香立、防風筒及び花立を立設する説明図を示し、（ａ）は取り付け前、（ｂ）は取り付け後を示す。
【図６】（ａ）ケースに仏具を取り付ける前の正面図、（ｂ）は線香及びローソクを立て、花立に花を生けた状態を示す。
【図７】観音扉型のケースの引出に線香、ローソクを立て、花を活け、遺影を載置した状態を示す。
【図８】線香立の替わりに線香皿を用いた例を示し、（ａ）は組立前、（ｂ）は組立後を示す。
【考案を実施するための最良の形態】
【００１２】
図１に第１の実施例を示す。
携帯仏具セット１０は、箱状の容器からなるケース１１に仏具を収納してある。
ケース１１は略長方形の底部の周囲から側壁を立設したケース本体１１ａと、このケース本体の上部を開閉する蓋１１ｂからなり、蓋１１ｂの一辺をケース本体１１ａの一辺の側壁上端に連結してある。
蓋１１ｂは、ケース本体１１ａから外側に向けてやや斜めに立設した状態を保持できるように蝶番等で開閉規制してある。
また、蓋を閉じると図３（ａ）に示すように締結具１１ｃで蓋１１ｂをケース本体１１ａに閉じた状態をロックできる。
蓋の上面には吊り下げ具２５を取り付けてあり、仏具を中に収納した状態で持ち運びできる。
【００１３】
ケース本体には図４（ａ）に例を示すように仏具が収納されている。
収納されている仏具は図４（ｂ）に示すようにケース本体から取り出し、図５に示すように組み立てて使用する。
図１に示した実施例１ではケース本体１１ａの底部に、線香立１２を取り付けるための線香立取付部１２ａと左右一対のローソク立１３を設けてあり、このケース本体に防風筒１４，線香立１２，花立保持具１６及び花立１５を収納した例になっている。
また、必要に応じて、おりん１７を収納しておいてもよい。
線香立１２は、線香を立てやすいように筒状の線香立筒部１２ｂを有し、その一端側に設けためねじ部を利用しておねじ部を有する線香立取付部１２ａに螺着する。
ローソク立１３は、ローソクを立設するピン１３ａとその周囲に防風筒１４の取付部１３ｂを有する。
本実施例では防風筒側にカギ状の切り溝部１４ｂを形成し、この切り溝部１４ｂを円筒状の嵌合部の周面に突設したピン状の取付部１３ｂにスライド固定する例になっている。
防風筒は図６（ｂ）に示すように、ローソクの炎が外部から見えるように窓部１４ａを有する。
左右一対の花立１５は花立保持具１６を用いて、ケースに支持された状態で立設可能になっている。
花立保持具１６は花立１５を挿入立設するための挿入孔１６ｂを設けた水平片から下側にＬ字状に折り曲げるとともに２枚の支持片からなる支持部１６ａを有する。
この支持部１６ａを図６（ａ）に示すようにケース本体１１ａの側壁の上端部１１ｄに差し込むことで花立１５を支持する例になっている。
また、仏具としておりん１７を組み合せる場合は花立保持具１６の支持部１６ａと同様にケース本体の側壁に差し込むための差し込み部を形成したおりん取付具１７ｂに予めおりん１７を固定し、りん棒１７ａをワイヤーやひも１７ｃにて連結してあるが好ましい。
また、本実施例では図４（ｂ）に示すように防風筒１４の内側に花立１５を挿入し、収納できるサイズ関係になっている。
【００１４】
実施例２を図２に示す。
この実施例２は前面に一対の観音扉２３，２３を蝶番２３ａ等を用いて開閉可能に設けたケース２０からなる携帯仏具セット１０Ａの例である。
ケース２０は箱状のケース本体２０ａの上下方向途中に仕切り板を設けることで、この仕切板が位牌や遺影等を載置するための載置板２２ａとなり、上部に載置室２２が形成される。
載置板２２ａの下側には出し入れ可能な引出２１を設け、引出の前面にはつまみ２１ａを有する。
この引出２１は実施例１のケース本体１１ａと同様の構造になっているので詳細な説明は省略する。
なお、花立１５は引出２１に取り付けてもよく、また、開いた観音扉２３の前面に帯状の取付部２４を形成し、この部分に図２（ｂ）に示すよう花立１５を保持（支持）させてもい。
また、図２（ａ）に示すようにおりん１７を観音扉２３の取付部２４に支持させて収納してもよい。
観音扉２３，２３を閉じ、扉の開閉をロック部材２３ｂ、２３ｃでロックした状態を図３ｂに示し、吊り下げ具２５にて携帯可能になっている。
【００１５】
図６に実施例１のケースを用いて線香１，ローソク２を立て、花３を活けた例を示し、図７に実施例２のケースを用いて、これらを立てた例を示す。
また、図７では遺影４を立て掛けてある載置室２２の内壁は金紙を貼り、その上を透明樹脂フィルムでコーティングしてあり、観音扉２３の内側面は黒色に仕上げてある。
図８は線香立の替わりに線香皿１１２と種火用ローソク１１２ａをセットにした例を示す。
本実施例では、ローソク立を含まない例になっている。
【符号の説明】
【００１６】
１０        携帯仏具セット
１１        ケース
１１ａ      ケース本体
１１ｂ      蓋
１１ｃ      締結具
１２ａ      線香立取付部
１２ｂ      線香立筒部
１３        ローソク立て
１４        防風筒
１５        花立
１６        花立保持具
１６ａ      支持部
１７        おりん
１７ａ      りん棒
１７ｂ      おりん取付具
２０        ケース
２０ａ      ケース本体
２１        引出
２２        載置室
２２ａ      載置板
２３        観音扉
２４        取付部
【図１】
0003177779.tif 000003
【図２】
0003177779.tif 000004
【図３】
0003177779.tif 000005
【図４】
0003177779.tif 000006
【図５】
0003177779.tif 000007
【図６】
0003177779.tif 000008
【図７】
0003177779.tif 000009
【図８】
0003177779.tif 000010